(57)【要約】【目的】２重表示を軽減しつつ輝度むらを抑えた表示を行うことが可能な表示装置を提供する。【構成】ゲートドライバは、パルス幅に応じた選択期間において画素スイッチをオンに制御する走査信号を第１〜第ｎの走査線に供給する。表示コントローラは、映像データ信号をデータドライバに供給するとともに、第１〜第ｎの走査線がフレーム毎に異なる順序で走査信号の供給対象として選択されるように指定する選択信号をゲートドライバに供給する。【選択図】図１
2020160324.tif 000002
【特許請求の範囲】
【請求項１】
複数のデータ線と、第１〜第ｎの走査線（ｎは２以上の整数）と、前記複数のデータ線と前記第１〜第ｎの走査線との交差部の各々に設けられた画素スイッチ及び画素部と、を有する表示パネルと、
パルス幅に応じた選択期間において前記画素スイッチをオンに制御する走査信号を前記第１〜第ｎの走査線に供給するゲートドライバと、
第１〜第ｎの走査線の各々に対応する第１〜第ｎの表示データからなる１フレーム分の映像データ信号を受け、前記映像データ信号に対応する階調電圧信号を前記複数のデータ線に供給するデータドライバと、
前記映像データ信号を前記データドライバに供給するとともに、前記第１〜第ｎの走査線がフレーム毎に異なる順序で前記走査信号の供給対象として選択されるように指定する選択信号を前記ゲートドライバに供給する表示コントローラと、
を備えた表示装置。
【請求項２】
前記選択信号は、前記表示パネルの中央部が間に位置するように分けられた第１及び第２の走査線グループに含まれる走査線を交互に選択するように選択順序を指定し、且つ前記第１及び第２の走査線グループの少なくとも一方の走査線グループ内において前記表示パネルの中央部から最も離れた走査線から前記表示パネルの中央部に最も近い走査線に向かって走査線を順次選択する第１の選択順序とは異なる選択順序を指定する信号であることを特徴とする請求項１に記載の表示装置。
【請求項３】
前記選択信号は、同数の隣り合う走査線によって各々が構成されている複数の走査線グループからなる複数の対の各々の１の走査線グループに含まれる走査線と他の走査線グループに含まれる走査線とが交互に選択されるように選択順序を指定し、且つ前記１の走査線グループ及び前記他の走査線グループのうちの少なくとも一方の走査線グループについての走査線グループ内での前記走査線の選択順序がフレーム毎に異なるように指定することを特徴とする請求項１又は２に記載の表示装置。
【請求項４】
前記複数の対の各々は、前記データドライバからの距離が前記表示パネルの中央部よりも近い走査線からなるデータドライバ近端側の走査線グループと、前記データドライバからの距離が前記表示パネルの中央部よりも遠い走査線からなるデータドライバ遠端側の走査線グループと、から構成されていることを特徴とする請求項３に記載の表示装置。
【請求項５】
前記表示コントローラは、前記各走査線グループ内での走査線の選択順序がフレーム毎にランダムになるように、前記選択信号を生成することを特徴とする請求項３又は４に記載の表示装置。
【請求項６】
前記複数の対の各々は、前記表示パネルの中央部を挟んで対向する位置にある一対の前記走査線グループから構成され、
前記選択信号は、前記走査信号の供給対象として選択される走査線が属する走査線グループが、前記表示パネルの外縁部に位置する走査線グループから中央部に向かう走査線グループに向かってシフトしていくように選択順序を指定することを特徴とする請求項３乃至５のいずれか１に記載の表示装置。
【請求項７】
前記ゲートドライバは、前記データドライバから前記第１〜第ｎの走査線の各々までの距離に応じて異なるパルス幅を有する前記走査信号を前記第１〜第ｎの走査線に供給することを特徴とする請求項１乃至６のいずれか１に記載の表示装置。
【請求項８】
前記第１〜第ｎの走査線は、ｐ本ずつの走査線からなる第１〜第ｑのグループ（ｐ、ｑは、ｎよりも小さく且つｐ×ｑ＝ｎを満たす自然数）を構成し、
前記表示コントローラは、２値の信号レベルを有するｋ個の信号（ｋは、２k＝ｐを満たす自然数）を前記選択信号として前記ゲートドライバに供給し、
前記ゲートドライバは、前記ｋ個の信号に基づいてｐ本の前記走査線のうちの１をそれぞれ選択するｐ個のデコーダを含むことを特徴とする請求項１乃至７のいずれか１に記載の表示装置。
【請求項９】
前記ゲートドライバは、複数個のドライバＩＣから構成され、
前記複数個のドライバＩＣのうち前記表示パネルの中央部を挟んで対向する位置に設けられたドライバＩＣ対が交互に動作することにより、前記選択信号により指定された選択順序で前記走査信号を前記第１〜第ｎの走査線に供給することを特徴とする請求項１乃至８のいずれか１に記載の表示装置。
【請求項１０】
第１〜第ｎの走査線（ｎは２以上の偶数）を有する表示パネルと、ゲートドライバと、データドライバと、を有する表示装置に接続され、映像データ信号を前記データドライバに供給するともに、前記第１〜第ｎの走査線がフレーム毎に異なる順序で前記走査信号の供給対象として選択されるように指定する選択信号を前記ゲートドライバに供給することを特徴とする表示コントローラ。
【請求項１１】
複数のデータ線と、第１〜第ｎの走査線（ｎは２以上の偶数）と、前記複数のデータ線と前記複数の走査線第１〜第ｎの走査線との交差部の各々に設けられた画素スイッチ及び画素部と、を有する表示パネルに接続され、パルス幅に応じた選択期間において前記画素スイッチをオンに制御する走査信号を前記第１〜第ｎの走査線に供給するゲートドライバであって、
前記ｋ個の信号に基づいてｐ本の前記走査線のうちの１をそれぞれ選択するｐ個のデコーダ（ｐ、ｑは、ｎよりも小さく且つｐ×ｑ＝ｎを満たす自然数）を含み、
２値の信号レベルを有するｋ個の信号（ｋは、２k＝ｐを満たす自然数）からなる選択信号の供給を受け、前記第１〜第ｎの走査線をｐ本ずつの走査線からなる第１〜第ｑのグループ（ｐ、ｑは、ｎよりも小さく且つｐ×ｑ＝ｎを満たす自然数）に分けた場合の各グループについて、グループ内での前記走査信号の供給順序を前記選択信号に応じた順序とすることを特徴とするゲートドライバ。
【発明の詳細な説明】
【技術分野】
【０００１】
本発明は、表示装置、表示コントローラ及びゲートドライバに関する。
【背景技術】
【０００２】
液晶表示装置や有機ＥＬ（Electro Luminescence）等の表示デバイスの駆動方式として、アクティブマトリクス駆動方式が採用されている。アクティブマトリクス駆動方式の表示装置では、表示パネルは画素部及び画素スイッチをマトリクス状に配置した半導体基板から構成されている。走査信号により画素スイッチのオンオフを制御し、画素スイッチがオンになるときに映像データ信号に対応した階調電圧信号を画素部に供給して、各画素部の輝度を制御することにより、表示が行われる。走査信号はゲートドライバにより走査線に供給され、階調電圧信号の供給はデータドライバによりデータ線を介して行われる。
【０００３】
アクティブマトリクス駆動方式の液晶表示装置において、製造ばらつきによる走査線の容量や液晶容量の等の各種特性の誤差に応じた表示画像の乱れを解消するため、画素スイッチをオンオフするタイミングを表す情報を保持する保持手段を設け、装置の製造後にタイミングの指定を行うことが可能な液晶表示装置が提案されている（例えば、特許文献１）。
【先行技術文献】
【特許文献】
【０００４】
【特許文献１】特開平８−９５０００号公報
【発明の概要】
【発明が解決しようとする課題】
【０００５】
データ線の負荷容量が大きく且つ駆動期間が短くなると、データドライバの出力回路からの出力信号は、出力回路に近いデータ線上の位置（以下、データドライバ近端と称する）では出力信号は信号波形の立ち上がりの鈍りがほぼない信号であるが、出力回路から遠いデータ線上の位置（以下、データドライバ遠端と称する）に向かって鈍りが増大し、画素電極への書込率（画素電極のターゲット電圧への到達率）が低下する。このため、データドライバ遠端付近では、画素電極に対する書き込み不足が生じ、表示パネルにおいて輝度差が生じてしまう。
【０００６】
データドライバ近端と遠端とにおける書込率の差による輝度むらを抑えるため、データドライバ近端の画素を駆動する場合は駆動時間を短くして、その分を遠端の画素を駆動する時間に振り分けることが考えられる。これにより、データドライバ遠端の駆動時間が長くなり、その結果充電率を近端遠端間で揃えることが可能となる。しかし、データドライバ近端の画素を駆動する時間を短くするためには、画素データをソースドライバに読み込む時間を短くする必要がある。このため、表示コントローラとソースドライバとの間のインタフェースに高速伝送が要求され、電力消費が大きくなる。
【０００７】
このような問題を避けるためには、例えばｎ本の走査線のうちの１ライン目及びｎライン目に対応する表示データからなる表示データ対、２ライン目及びｎ−１ライン目に対応する表示データからなる表示データ対、・・・というように、データドライバ近端の走査線に対応する表示データとデータドライバ遠端の走査線に対応する表示データとをセットで表示コントローラからソースドライバに伝送することが考えられる。これに応じて、ゲートドライバは、データドライバ近端と遠端とで駆動時間に差を設けつつ、１ライン目、ｎライン目、２ライン目、ｎ−１ライン目、・・・のようにデータドライバ近端の走査線とデータドライバ遠端の走査線とを交互に駆動する。
【０００８】
しかしながら、近年需要が高まっている４Ｋパネルや８Ｋパネル等の高解像度で且つ大画面の表示パネルでは、１ラインの走査時間が短いため、データの書き込み時間が不足し、１ライン前のデータが当該ラインの書き込みデータに影響を与える場合がある。データドライバ近端及びデータドライバ遠端における対応する位置にある走査線を交互に駆動する動作を繰り返すと、フレームが変わっても走査線の駆動順序が固定されたままであるため、画面の中央部を挟んで上側の表示画像と下側の表示画像とが重なって表示される状態（所謂、クロストークによる２重表示）が生じる虞があるという問題点があった。
【０００９】
本発明は上記問題点に鑑みてなされたものであり、２重表示を軽減しつつ輝度むらを抑えた表示を行うことが可能な表示装置を提供することを目的とする。
【課題を解決するための手段】
【００１０】
本発明に係る表示装置は、複数のデータ線と、第１〜第ｎの走査線（ｎは２以上の整数）と、前記複数のデータ線と前記第１〜第ｎの走査線との交差部の各々に設けられた画素スイッチ及び画素部と、を有する表示パネルと、パルス幅に応じた選択期間において前記画素スイッチをオンに制御する走査信号を前記第１〜第ｎの走査線に供給するゲートドライバと、第１〜第ｎの走査線の各々に対応する第１〜第ｎの表示データからなる１フレーム分の映像データ信号を受け、前記映像データ信号に対応する階調電圧信号を前記複数のデータ線に供給するデータドライバと、前記映像データ信号を前記データドライバに供給するとともに、前記第１〜第ｎの走査線がフレーム毎に異なる順序で前記走査信号の供給対象として選択されるように指定する選択信号を前記ゲートドライバに供給する表示コントローラと、を備えることを特徴とする。
【００１１】
本発明に係る表示コントローラは、第１〜第ｎの走査線（ｎは２以上の偶数）を有する表示パネルと、ゲートドライバと、データドライバと、を有する表示装置に接続され、映像データ信号を前記データドライバに供給するともに、前記第１〜第ｎの走査線がフレーム毎に異なる順序で前記走査信号の供給対象として選択されるように指定する選択信号を前記ゲートドライバに供給することを特徴とする。
【００１２】
本発明に係るゲートドライバは、複数のデータ線と、第１〜第ｎの走査線（ｎは２以上の偶数）と、前記複数のデータ線と前記複数の走査線第１〜第ｎの走査線との交差部の各々に設けられた画素スイッチ及び画素部と、を有する表示パネルに接続され、パルス幅に応じた選択期間において前記画素スイッチをオンに制御する走査信号を前記第１〜第ｎの走査線に供給するゲートドライバであって、前記ｋ個の信号に基づいてｐ本の前記走査線のうちの１をそれぞれ選択するｐ個のデコーダ（ｐ、ｑは、ｎよりも小さく且つｐ×ｑ＝ｎを満たす自然数）を含み、２値の信号レベルを有するｋ個の信号（ｋは、２k＝ｐを満たす自然数）からなる選択信号の供給を受け、前記第１〜第ｎの走査線をｐ本ずつの走査線からなる第１〜第ｑのグループ（ｐ、ｑは、ｎよりも小さく且つｐ×ｑ＝ｎを満たす自然数）に分けた場合の各グループについて、グループ内での前記走査信号の供給順序を前記選択信号に応じた順序とすることを特徴とする。
【発明の効果】
【００１３】
本発明に係る表示装置によれば、２重表示を軽減しつつ輝度むらを抑えた表示を行うことが可能となる。
【図面の簡単な説明】
【００１４】
【図１】実施例１の表示装置の構成を示すブロック図である。
【図２Ａ】表示データの系列からなる映像データ信号を模式的に示す図である。
【図２Ｂ】変調クロック信号を模式的に示す図である。
【図３】ゲートドライバに含まれるドライバ回路の構成例を示す回路図である。
【図４】本実施例のゲートドライバにおける、走査信号の供給対象となる走査線の選択を模式的に示すタイムチャートである。
【図５】本実施例の表示装置において走査線の各々に供給される走査信号の例を示す図である。
【図６】比較例の表示装置において走査線の各々に供給される走査信号の例を示す図である。
【図７Ａ】比較例の表示装置で発生する２重表示を模式的に示す図である。
【図７Ｂ】本実施例の表示装置においてデータの書き込み時間の不足が発生した場合の表示画面を模式的に示す図である。
【図８】変形例のゲートドライバに含まれるドライバ回路の構成例を示す回路図である。
【図９】変形例のゲートドライバにおける、走査信号の供給対象となる走査線の選択を模式的に示すタイムチャートである。
【図１０】複数のゲートドライバが走査線の駆動を分割して担う表示装置の構成例を示すブロック図である。
【発明を実施するための形態】
【００１５】
以下、本発明の実施例について、図面を参照して説明する。なお、以下の実施例における説明及び添付図面においては、実質的に同一又は等価な部分には同一の参照符号を付している。
【実施例１】
【００１６】
図１は、本実施例の表示装置１００の構成を示すブロック図である。表示装置１００は、例えばアクティブマトリクス駆動方式の液晶表示装置であり、表示パネル１１、表示コントローラ１２、データドライバ１３及びゲートドライバ１４を含む。
【００１７】
表示パネル１１は、複数の画素部Ｐ11〜Ｐnm及び画素スイッチＭ11〜Ｍnm（ｎは２以上の偶数，ｍは２以上の自然数）がマトリクス状に配置された半導体基板から構成されている。表示パネル１１は、ｎ本の走査線Ｓ1〜Ｓnと、これに交差するように配されたｍ本のデータ線Ｄ1〜Ｄmと、を有する。なお、以下の説明では、走査線Ｓ1〜Ｓnを１ｃｈ〜ｎｃｈのゲートラインとも称する。
【００１８】
画素部Ｐ11〜Ｐnm及び画素スイッチＭ11〜Ｍnmは、走査線Ｓ1〜Ｓn及びデータ線Ｄ1〜Ｄmの交差部に設けられている。画素スイッチＭ11〜Ｍnmは、ゲートドライバ１４から供給される走査信号Ｖｇ１〜Ｖｇｎに応じてオン又はオフに制御される。
【００１９】
画素部Ｐ11〜Ｐnmは、画素スイッチＭ11〜Ｍnmがオンのときに、データドライバ１３から階調電圧信号Ｇｖ１〜Ｇｖｍの供給を受ける。階調電圧信号Ｇｖ１〜Ｇｖｍは、映像データ信号ＶＤに対応した信号である。階調電圧信号Ｇｖ１〜Ｇｖｍに応じて画素部Ｐ11〜Ｐnmの輝度が制御され、表示が行われる。
【００２０】
表示装置１００が液晶表示装置である場合、画素部Ｐ11〜Ｐnmの各々は、図示せぬ透明電極と、半導体基板と対向して設けられ且つ面全体に１つの透明な電極が形成された対向基板との間に封入された液晶と、を含む。表示装置内部のバックライトに対して、画素部Ｐ11〜Ｐnmに供給された階調電圧信号Ｇｖ１〜Ｇｖｍと対向基板電圧との電位差に応じて液晶の透過率が変化することにより、表示が行われる。
【００２１】
表示コントローラ１２は、表示パネル１１における画像の表示タイミングを制御するタイミングコントローラ（いわゆるＴ−ＣＯＮ）である。表示コントローラ１２は、クロック信号ＣＬＫ及び入力映像信号ＶＳの供給を受け、これらに基づいてデータドライバ１３及びゲートドライバ１４の制御を行う。表示コントローラ１２は、外部から供給された１フレーム分の入力映像信号ＶＳを保持する１フレームメモリ１５を有する。
【００２２】
また、表示コントローラ１２は、駆動順序設定回路１６を有する。駆動順序設定回路１６は、ゲートドライバ１４による走査線Ｓ1〜Ｓnの駆動順序（すなわち、走査信号の供給対象とする走査線の順序）を設定する回路である。例えば、駆動順序設定回路１６は、走査線Ｓ1〜Ｓnを８本ずつ（すなわち、８ｃｈずつ）のグループに分け、データドライバ１３からの距離が表示パネル１１の中央部よりも近い走査線からなるデータドライバ近端側の走査線グループと、データドライバ１３からの距離が表示パネル１１よりも遠い走査線からなるデータドライバ遠端側の走査線グループとをグループ対とする。そして、そのように構成された複数のグループ対の各々において、グループ対を構成する１の走査線グループに含まれる走査線と他の走査線グループに含まれる走査線とが交互に駆動されるように、グループ単位での駆動順序を設定する。例えば、駆動順序設定回路１６は、まず１〜８ｃｈの走査線（すなわち、走査線Ｓ1〜Ｓ8）からなるグループに含まれる走査線と（ｎ−７）〜ｎｃｈの走査線（すなわち、走査線Ｓn-7〜Ｓn）からなるグループに含まれる走査線とが交互に駆動され、これらが全て駆動された後に９〜１６ｃｈの走査線（すなわち、走査線Ｓ9〜Ｓ16）からなるグループに含まれる走査線と（ｎ−１５）〜（ｎ−８）ｃｈの走査線（すなわち、走査線Ｓn-15〜Ｓn-8）からなるグループに含まれる走査線とが交互に駆動されるように駆動順序を設定する。そして、駆動順序設定回路１６は、以下同様に、表示パネル１１の外縁部から中央部まで交互に各グループの駆動がなされるように、グループ対毎の駆動順序を設定する。ここで、表示パネル１１の中央部とは、例えば、各データ線の中間付近の領域に相当する。
【００２３】
そして、駆動順序設定回路１６は、各グループ内での走査線の駆動順序を設定する。駆動順序設定回路１６は、例えばシフトレジスタ等からなる疑似ランダムパターン生成回路（図示せず）を含み、各グループ内での走査線の駆動順序がランダムになるように、各走査線の駆動順序を設定する。例えば、駆動順序設定回路１６は、１〜８ｃｈの走査線のグループ内での駆動順序を、５ｃｈ、１ｃｈ、３ｃｈ、２ｃｈ、４ｃｈ、８ｃｈ、６ｃｈ、７ｃｈの順番とする。また駆動順序設定回路１６は、（ｎ−７）〜ｎｃｈの走査線のグループ内での駆動順序を、（ｎ−５）ｃｈ、（ｎ−４）ｃｈ、ｎｃｈ、（ｎ−７）ｃｈ、（ｎ−３）ｃｈ、（ｎ−６）ｃｈ、（ｎ−２）ｃｈ、（ｎ−１）ｃｈの順番とする。
【００２４】
これにより、グループ単位での駆動順序とグループ内での駆動順序とを合わせると、走査線毎の駆動順序としては、５ｃｈ、（ｎ−５）ｃｈ、１ｃｈ、（ｎ−４）ｃｈ、３ｃｈ、ｎｃｈ、２ｃｈ、（ｎ−７）ｃｈ、４ｃｈ、（ｎ−３）ｃｈ、８ｃｈ、（ｎ−６）ｃｈ、６ｃｈ、（ｎ−２）ｃｈ、７ｃｈ、（ｎ−１）ｃｈとなる。以下同様に、表示パネル１１の中央部まで走査線毎の駆動順序を設定する。
【００２５】
なお、駆動順序設定回路１６は、疑似ランダムパターン生成回路（図示せず）の動作により、フレーム毎に各グループ内での走査線の駆動順序を変更する。すなわち、グループ単位での駆動順序はフレーム毎に同一であるが、各グループ内での走査線の駆動順序はフレーム毎に異なる。
【００２６】
表示コントローラ１２は、Ｓ1〜Ｓnの各走査線上の画素の輝度レベルを表す第１〜第ｎの表示データＰＤを１フレームメモリ１５に格納されている１フレーム分の入力映像信号ＶＳから抽出し、表示データＰＤの系列を含む映像データ信号ＶＤを生成して、データドライバ１３に供給する。その際、表示コントローラ１２は、駆動順序設定回路１６が設定した駆動順序に基づいて、表示データＰＤの系列からなる映像データ信号ＶＤを生成する。
【００２７】
図２Ａは、表示データＰＤの系列からなる映像データ信号ＶＤを模式的に示す図である。映像データＶＤは、駆動順序設定回路１６が設定した駆動順序に基づいて、走査線Ｓ5に対応する表示データＰＤ5、走査線Ｓ(n-5)に対応する表示データＰＤn-5、走査線Ｓ1に対応する表示データＰＤ1、走査線Ｓn-4に対応する表示データＰＤn-4、・・・の順に連続する表示データＰＤの系列により構成されている。
【００２８】
再び図１を参照すると、表示コントローラ１２は、変調クロック生成回路１７を有する。変調クロック生成回路１７は、表示コントローラ１２の外部からクロック信号ＣＬＫの供給を受け、クロック信号ＣＬＫに基づいてゲートドライバ１４による走査信号のパルス幅を定める変調クロック信号ＭＣＬＫを生成する。変調クロック生成回路１７は、駆動順序設定回路１６により決定された駆動順序及び各走査線のデータドライバ１３からの距離に基づいて、データドライバ１３からの距離が近い走査線に対する走査信号のパルス幅が狭く、データドライバ１３からの距離が遠い走査線に対する走査信号のパルス幅が広くなるようにクロック周期が変動する変調クロック信号ＭＣＬＫを生成する。
【００２９】
図２Ｂは、変調クロック信号ＭＣＬＫを模式的に示す図である。変調クロック信号ＭＣＬＫは、走査線の駆動順序に応じて、データドライバ１３から各走査線までの距離に比例した長さのクロック周期を有する。例えば、駆動順序設定回路１６により、走査線の駆動順序が５ｃｈ、（ｎ−５）ｃｈ、１ｃｈ、（ｎ−４）ｃｈ、３ｃｈ、ｎｃｈ、２ｃｈ、（ｎ−７）ｃｈ・・・のように設定されている場合、変調クロック信号ＭＣＬＫは、クロックパルスの間隔が、データドライバ１３から走査線Ｓ5までの距離に対応するパルス間隔ＣＰ5、走査線Ｓ(n-5)までの距離に対応するパルス間隔ＣＰ(n-5)、走査線Ｓ1までの距離に対応するパルス間隔ＣＰ1、走査線Ｓ(n-4)までの距離に対応するパルス間隔ＣＰ(n-4)、・・・のように、データドライバ１３から各走査線までの距離に比例した長さとなるように順次変動するクロック周期を有する。
【００３０】
再び図１を参照すると、表示コントローラ１２は、変調クロック信号ＭＣＬＫをデータドライバ１３及びゲートドライバ１４に供給する。また、表示コントローラ１２は、ゲートドライバ１４による走査信号Ｖｇ１〜Ｖｇｎの供給動作を制御するための選択信号Ｄ１、Ｄ２、Ｄ３及び交互切替信号Ｈａｌｆをゲートドライバ１４に供給する。
【００３１】
選択信号Ｄ１、Ｄ２及びＤ３は、駆動順序設定回路１６により設定された駆動順序に応じて信号レベルが“Ｈ”レベル又は“Ｌ”レベルとなる選択信号である。交互切替信号Ｈａｌｆは、走査線のグループ毎の交互駆動を実行させるための信号であり、一定周期（例えば、クロック信号ＣＬＫのクロック周期）で信号レベルが“Ｌ”レベル及びＨレベルに交互に変化する信号である。
【００３２】
データドライバ１３は、表示コントローラ１２から表示データＰＤの系列からなる映像データ信号ＶＤの供給を受け、データ線Ｄ1〜Ｄmを介して表示データＰＤに応じた階調電圧信号Ｇｖ１〜Ｇｖｍを画素部Ｐ11〜Ｐnmに供給する。データドライバ１３は、階調数に応じた多値レベルの階調電圧信号Ｇｖ１〜Ｇｖｍをデータ線Ｄ1〜Ｄmに供給する。
【００３３】
データドライバ１３は、表示データＰＤの取り込み、保持及び出力を行うラッチ回路を含む。例えば、当該ラッチ回路は、表示コントローラ１２から伝送された映像データ信号ＶＤを２水平走査ライン分の表示データＰＤごとに溜め込み、１水平走査ライン分の表示データＰＤずつ出力する。表示コントローラ１２は、ラッチ回路の出力に基づいて、１水平走査ライン分の階調電圧信号Ｇｖ１〜Ｇｖｍをデータ線Ｄ1〜Ｄmに供給する。これにより、映像データ信号ＶＤにおける表示データＰＤの配置順に応じた、走査線毎の階調電圧信号Ｇｖ１〜Ｇｖｍの供給が行われる。
【００３４】
ゲートドライバ１４は、表示コントローラ１２から変調クロック信号ＭＣＬＫ、選択信号Ｄ１、Ｄ２、Ｄ３及び交互切替信号Ｈａｌｆの供給を受け、これに応じて走査信号Ｖｇ１〜Ｖｇｎを走査線Ｓ1〜Ｓnに供給（すなわち、走査線Ｓ1〜Ｓnを駆動）する。走査信号Ｖｇ１〜Ｖｇｎは、少なくとも２値の信号レベルを有する。
【００３５】
ゲートドライバ１４は、走査線Ｓ1〜Ｓnを所定の本数ずつグループ分けした場合のグループ毎に対応するシフトレジスタを有し、１つのグループずつ順にアクティブ状態となるように構成されている。また、各グループには、選択信号Ｄ１、Ｄ２、Ｄ３及び交互切替信号Ｈａｌｆに基づいて、グループ内の１の走査線を選択するためのデコーダが設けられている。
【００３６】
図３は、ゲートドライバ１４に含まれるシフトレジスタ及びデコーダからなるドライバ回路２０の構成例を示す回路図である。ドライバ回路２０は、１ｃｈ〜（１／２）ｎｃｈのゲートライン（すなわち、走査線Ｓ1〜Ｓn/2）に対応するシフトレジスタ及びデコーダからなる第１回路部２１Ａと、（１／２）ｎ＋１ｃｈ〜ｎｃｈのゲートライン（すなわち、走査線Ｓ(n/2)+1〜Ｓn）に対応するシフトレジスタ及びデコーダからなる第２回路部２１Ｂと、から構成されている。
【００３７】
第１回路部２１Ａは、１ｃｈ〜８ｃｈのゲートライン（すなわち、走査線Ｓ1〜Ｓ8）に対応するシフトレジスタ（図では、１〜８ｃｈＳＲとして示す）と、これに連続して設けられた１ｃｈ〜８ｃｈのデコーダ（図では、単に１ｃｈ、２ｃｈ、３ｃｈ、４ｃｈ、５ｃｈ、６ｃｈ、７ｃｈ、８ｃｈとして示す）と、を有する。また、１ｃｈ〜８ｃｈデコーダの後段には、９ｃｈ〜１６ｃｈのゲートライン（すなわち、走査線Ｓ9〜Ｓ16）に対応するシフトレジスタ（図では、９〜１６ｃｈＳＲとして示す）と、９〜１６ｃｈのデコーダ（図では、まとめて９〜１６ｃｈとして示す）とが設けられている。以下、（１／２）ｎｃｈまで同様の構成が連続している。第１回路部２１Ａでは、前段から後段に向かって（すなわち、図面左側から右側に向かって）各信号がシフトされ、走査信号の供給対象となる走査線の選択が行われる。
【００３８】
一方、第２回路部２１Ｂは、ｎ−７ｃｈ〜ｎｃｈのゲートライン（すなわち、走査線Ｓn-7〜Ｓn）に対応するシフトレジスタ（図では、ｎ−７〜ｎｃｈＳＲとして示す）と、これに連続して設けられたｎ−７ｃｈ〜ｎｃｈのデコーダ（図では、まとめてＮｎ−７〜ｎｃｈとして示す）と、を有する。また、ｎ−７ｃｈ〜ｎｃｈのデコーダに連続して、ｎ−１５ｃｈ〜ｎ−８ｃｈのゲートライン（すなわち、走査線Ｓn-15〜Ｓn-8）に対応するシフトレジスタ（図では、ｎ−１５〜ｎ−８ｃｈＳＲとして示す）と、ｎ−１５〜ｎ−８ｃｈのデコーダ（図では、まとめてｎ−１５〜ｎ−８ｃｈとして示す）とが設けられている。以下、（１／２）ｎ＋１ｃｈまで同様の構成が連続している。第２回路部２１Ｂでは、後段から前段に向かって（すなわち、図面右側から左側に向かって）各信号がシフトされ、走査信号の供給対象となる走査線の選択が行われる。
【００３９】
１ｃｈ〜８ｃｈのデコーダは、２値の選択信号Ｄ１、Ｄ２及びＤ３の組み合わせによりいずれか１つが選択される３ビットのデコーダである。１ｃｈのデコーダには、シフトレジスタ（１〜８ｃｈＳＲ）の出力信号、交互切替信号Ｈａｌｆ、選択信号Ｄ１、Ｄ２及びＤ３が供給される。２ｃｈのデコーダには、シフトレジスタ（１〜８ｃｈＳＲ）の出力信号、交互切替信号Ｈａｌｆ、選択信号Ｄ１及びＤ２が供給される。また、２ｃｈのデコーダには、選択信号Ｄ３を反転した信号が供給される。３ｃｈのデコーダには、シフトレジスタ（１〜８ｃｈＳＲ）の出力信号、交互切替信号Ｈａｌｆ、選択信号Ｄ１及びＤ３が供給される。また、３ｃｈのデコーダには、選択信号Ｄ２を反転した信号が供給される。４ｃｈのデコーダには、シフトレジスタ（１〜８ｃｈＳＲ）の出力信号、交互切替信号Ｈａｌｆ、及び選択信号Ｄ１が供給される。また、４ｃｈのデコーダには、選択信号Ｄ２及びＤ３をそれぞれ反転した信号が供給される。
【００４０】
５ｃｈのデコーダには、シフトレジスタ（１〜８ｃｈＳＲ）の出力信号、交互切替信号Ｈａｌｆ、選択信号Ｄ２及びＤ３が供給される。また、５ｃｈのデコーダには、選択信号Ｄ１を反転した信号が供給される。６ｃｈのデコーダには、シフトレジスタ（１〜８ｃｈＳＲ）の出力信号、交互切替信号Ｈａｌｆ、及び選択信号Ｄ２が供給される。また、６ｃｈのデコーダには、選択信号Ｄ１及びＤ３をそれぞれ反転した信号が供給される。７ｃｈのデコーダには、シフトレジスタ（１〜８ｃｈＳＲ）の出力信号、交互切替信号Ｈａｌｆ、及び選択信号Ｄ３が供給される。また、７ｃｈのデコーダには、選択信号Ｄ１及びＤ２をそれぞれ反転した信号が供給される。８ｃｈのデコーダには、シフトレジスタ（１〜８ｃｈＳＲ）の出力信号及び交互切替信号Ｈａｌｆが供給される。また、８ｃｈのデコーダには、選択信号Ｄ１、Ｄ２及びＤ３をそれぞれ反転した信号が供給される。
【００４１】
１〜８ｃｈ以外の他のグループのデコーダ群（例えば、９〜１６ｃｈ、１７〜２４ｃｈ等）は、１〜８ｃｈのデコーダと同様に、それぞれ異なる態様で信号の供給を受ける８つのデコーダから構成されている。例えば、９ｃｈのデコーダ及び１７ｃｈのデコーダは、１ｃｈのデコーダと同様に、シフトレジスタ（１〜８ｃｈＳＲ）の出力信号、交互切替信号Ｈａｌｆ、選択信号Ｄ１、Ｄ２及びＤ３の供給を受ける。１０ｃｈのデコーダ及び１８ｃｈのデコーダは、２ｃｈのデコーダと同様に、シフトレジスタ（１〜８ｃｈＳＲ）の出力信号、交互切替信号Ｈａｌｆ、選択信号Ｄ１、Ｄ２、及び選択信号Ｄ３の反転信号の供給を受ける。
【００４２】
なお、各グループのデコーダ群は、１〜８ｃｈのデコーダの各々と信号の供給態様が同じであるデコーダが１〜８ｃｈのデコーダと同じ順番で並んでいてもよく、異なる順番で並んでいてもよい。すなわち、各グループのデコーダ群には、１〜８ｃｈのデコーダの各々と信号の供給態様が同じであるデコーダが含まれるように構成されていればよい。
【００４３】
ゲートドライバ１４は、各デコーダの出力による走査線の選択に応じて、データドライバ近端側のグループの走査線に対する走査信号の供給と、データドライバ遠端側のグループの走査線に対する走査信号の供給とを交互に行う。
【００４４】
図４は、本実施例のゲートドライバ１４における、走査信号の供給対象となる走査線の選択を模式的に示すタイムチャートである。ここでは、１〜ｎｃｈのゲートライン（すなわち、走査線Ｓ1〜Ｓn）のうち、１〜８ｃｈ、９〜１６ｃｈ、ｎ−１５〜ｎ−８ｃｈ、及びｎ−７〜ｎｃｈのゲートライン（すなわち、走査線Ｓ1〜Ｓ8、Ｓ9〜Ｓ16、Ｓn-15〜Ｓn-8、及びＳn-7〜Ｓn）の選択のみを抜き出して示している。
【００４５】
１ｃｈ〜（１／２）ｎｃｈのゲートラインに対応する各デコーダには、交互切替信号Ｈａｌｆが供給される。（１／２）ｎ＋１ｃｈ〜ｎｃｈのゲートラインに対応する各デコーダには、交互切替信号Ｈａｌｆの信号レベルを反転した反転切替信号Ｘｈａｌｆが供給される。
【００４６】
［１〜８ｃｈ、（ｎ−７）〜ｎｃｈのゲートラインの選択］
まず、１ｃｈ〜８ｃｈのゲートラインに対応するシフトレジスタ（１〜８ｃｈＳＲ）は、出力信号の信号レベルをＨレベルとする。同様に、ｎ−７ｃｈ〜ｎｃｈのゲートラインに対応するシフトレジスタ（ｎ−７〜ｎｃｈＳＲ）は、出力信号の信号レベルをＨレベルとする。一方、９〜１６ｃｈのゲートラインに対応するシフトレジスタ（９〜１６ｃｈＳＲ）及びｎ−１５〜ｎ−８ｃｈのゲートラインに対応するシフトレジスタ（ｎ−１５〜ｎ−８ｃｈＳＲ）は、出力信号の信号レベルをＬレベルとする。
【００４７】
交互切替信号Ｈａｌｆが“Ｈ”レベル、選択信号Ｄ１が“Ｈ”レベル、選択信号Ｄ２及びＤ３が“Ｌ”レベルになると、５ｃｈのゲートラインが選択される。次に、交互切替信号Ｈａｌｆが“Ｌ”レベル、選択信号Ｄ１及びＤ３が“Ｌ”レベル、選択信号Ｄ２が“Ｈ”レベルになると、ｎ−５ｃｈのゲートラインが選択される。
【００４８】
交互切替信号Ｈａｌｆが“Ｈ”レベル、選択信号Ｄ１、Ｄ２及びＤ３が“Ｌ”レベルになると、１ｃｈのゲートラインが選択される。次に、交互切替信号Ｈａｌｆが“Ｌ”レベル、選択信号Ｄ１が“Ｌ”レベル、選択信号Ｄ２及びＤ３が“Ｈ”レベルになると、ｎ−４ｃｈのゲートラインが選択される。
【００４９】
交互切替信号Ｈａｌｆが“Ｈ”レベル、選択信号Ｄ１及びＤ３が“Ｌ”レベル、選択信号Ｄ２が“Ｈ”レベルになると、３ｃｈのゲートラインが選択される。次に、交互切替信号Ｈａｌｆが“Ｌ”レベル、選択信号Ｄ１、Ｄ２及びＤ３が“Ｈ”レベルになると、ｎｃｈのゲートラインが選択される。
【００５０】
交互切替信号Ｈａｌｆが“Ｈ”レベル、選択信号Ｄ１及びＤ２が“Ｌ”レベル、選択信号Ｄ３が“Ｈ”レベルになると、２ｃｈのゲートラインが選択される。次に、交互切替信号Ｈａｌｆが“Ｌ”レベル、選択信号Ｄ１、Ｄ２及びＤ３が“Ｌ”レベルになると、ｎ−７ｃｈのゲートラインが選択される。
【００５１】
交互切替信号Ｈａｌｆが“Ｈ”レベル、選択信号Ｄ１が“Ｌ”レベル、選択信号Ｄ２及びＤ３が“Ｈ”レベルになると、４ｃｈのゲートラインが選択される。次に、交互切替信号Ｈａｌｆが“Ｌ”レベル、選択信号Ｄ１が“Ｈ”レベル、選択信号Ｄ２及びＤ３が“Ｌ”レベルになると、ｎ−３ｃｈのゲートラインが選択される。
【００５２】
交互切替信号Ｈａｌｆが“Ｈ”レベル、選択信号Ｄ１、Ｄ２及びＤ３が“Ｈ”レベルになると、８ｃｈのゲートラインが選択される。次に、交互切替信号Ｈａｌｆが“Ｌ”レベル、選択信号Ｄ１及びＤ２が“Ｌ”レベル、選択信号Ｄ３が“Ｈ”レベルになると、ｎ−６ｃｈのゲートラインが選択される。
【００５３】
交互切替信号Ｈａｌｆが“Ｈ”レベル、選択信号Ｄ１及びＤ３が“Ｈ”レベル、選択信号Ｄ２が“Ｌ”レベルになると、６ｃｈのゲートラインが選択される。次に、交互切替信号Ｈａｌｆが“Ｌ”レベル、選択信号Ｄ１及びＤ２が“Ｈ”レベル、選択信号Ｄ３が“Ｌ”レベルになると、ｎ−１ｃｈのゲートラインが選択される。
【００５４】
交互切替信号Ｈａｌｆが“Ｈ”レベル、選択信号Ｄ１及びＤ２が“Ｈ”レベル、選択信号Ｄ３が“Ｌ”レベルになると、７ｃｈのゲートラインが選択される。次に、交互切替信号Ｈａｌｆが“Ｌ”レベル、選択信号Ｄ１及びＤ３が“Ｈ”レベル、選択信号Ｄ２が“Ｌ”レベルになると、ｎ−２ｃｈのゲートラインが選択される。
【００５５】
［９〜１６ｃｈ、（ｎ−１５）〜（ｎ−８）ｃｈのゲートラインの選択］
次に、９ｃｈ〜１６ｃｈのゲートラインに対応するシフトレジスタ（９〜１６ｃｈＳＲ）は、出力信号の信号レベルをＨレベルとする。同様に、ｎ−１５ｃｈ〜ｎ−８ｃｈのゲートラインに対応するシフトレジスタ（ｎ−１５〜ｎ−８ｃｈＳＲ）は、出力信号の信号レベルをＨレベルとする。一方、１〜８ｃｈのゲートラインに対応するシフトレジスタ（１〜８ｃｈＳＲ）及びｎ−７〜ｎｃｈのゲートラインに対応するシフトレジスタ（ｎ−７〜ｎｃｈＳＲ）は、出力信号の信号レベルをＬレベルとする。
【００５６】
交互切替信号Ｈａｌｆが“Ｈ”レベル、選択信号Ｄ１及びＤ３が“Ｌ”レベル、選択信号Ｄ２が“Ｈ”レベルになると、１１ｃｈのゲートラインが選択される。次に、交互切替信号Ｈａｌｆが“Ｌ”レベル、選択信号Ｄ１が“Ｌ”レベル、選択信号Ｄ２及びＤ３が“Ｈ”レベルになると、ｎ−１２ｃｈのゲートラインが選択される。
【００５７】
交互切替信号Ｈａｌｆが“Ｈ”レベル、選択信号Ｄ１、Ｄ２及びＤ３が“Ｌ”レベルになると、９ｃｈのゲートラインが選択される。次に、交互切替信号Ｈａｌｆが“Ｌ”レベル、選択信号Ｄ１が“Ｌ”レベル、選択信号Ｄ１、Ｄ２及びＤ３が“Ｌ”レベルになると、ｎ−１５ｃｈのゲートラインが選択される。
【００５８】
交互切替信号Ｈａｌｆが“Ｈ”レベル、選択信号Ｄ１、Ｄ２及びＤ３が“Ｈ”レベルになると、１６ｃｈのゲートラインが選択される。次に、交互切替信号Ｈａｌｆが“Ｌ”レベル、選択信号Ｄ１及びＤ３が“Ｈ”レベル、選択信号Ｄ２が“Ｌ”レベルになると、ｎ−１０ｃｈのゲートラインが選択される。
【００５９】
交互切替信号Ｈａｌｆが“Ｈ”レベル、選択信号Ｄ１及びＤ２が“Ｈ”レベル、選択信号Ｄ３が“Ｌ”レベルになると、１５ｃｈのゲートラインが選択される。次に、交互切替信号Ｈａｌｆが“Ｌ”レベル、選択信号Ｄ１が“Ｈ”レベル、選択信号Ｄ２及びＤ３が“Ｌ”レベルになると、ｎ−１１ｃｈのゲートラインが選択される。
【００６０】
交互切替信号Ｈａｌｆが“Ｈ”レベル、選択信号Ｄ１が“Ｈ”レベル、選択信号Ｄ２及びＤ３が“Ｌ”レベルになると、１３ｃｈのゲートラインが選択される。次に、交互切替信号Ｈａｌｆが“Ｌ”レベル、選択信号Ｄ１及びＤ３が“Ｌ”レベル、選択信号Ｄ２が“Ｈ”レベルになると、ｎ−１３ｃｈのゲートラインが選択される。
【００６１】
交互切替信号Ｈａｌｆが“Ｈ”レベル、選択信号Ｄ１が“Ｌ”レベル、選択信号Ｄ２及びＤ３が“Ｈ”レベルになると、１２ｃｈのゲートラインが選択される。次に、交互切替信号Ｈａｌｆが“Ｌ”レベル、選択信号Ｄ１及びＤ２が“Ｈ”レベル、選択信号Ｄ３が“Ｌ”レベルになると、ｎ−９ｃｈのゲートラインが選択される。
【００６２】
交互切替信号Ｈａｌｆが“Ｈ”レベル、選択信号Ｄ１及びＤ２が“Ｌ”レベル、選択信号Ｄ３が“Ｈ”レベルになると、１０ｃｈのゲートラインが選択される。次に、交互切替信号Ｈａｌｆが“Ｌ”レベル、選択信号Ｄ１、Ｄ２及びＤ３が“Ｈ”レベルになると、ｎ−８ｃｈのゲートラインが選択される。
【００６３】
交互切替信号Ｈａｌｆが“Ｈ”レベル、選択信号Ｄ１及びＤ３が“Ｈ”レベル、選択信号Ｄ２が“Ｌ”レベルになると、１４ｃｈのゲートラインが選択される。次に、交互切替信号Ｈａｌｆが“Ｌ”レベル、選択信号Ｄ１及びＤ２が“Ｌ”レベル、選択信号Ｄ３が“Ｈ”レベルになると、ｎ−１４ｃｈのゲートラインが選択される。
【００６４】
図４に記載されているゲートライン以外のゲートラインについても、同様にゲートラインの選択を行う。すなわち、（８ｋ＋１）〜（８ｋ＋８）ｃｈのシフトレジスタの出力信号と（ｎ−８ｋ−７）〜（ｎ−８ｋ）ｃｈのシフトレジスタの出力信号とを同時に“Ｈ”レベルとし、１ラインずつ選択信号Ｄ１、Ｄ２及びＤ３の値を変えて、合計１６ラインの選択を重複が無いように行う。
【００６５】
ゲートドライバ１４は、このように駆動対象となる走査線（ゲートライン）の選択を行い、選択した走査線に対して走査信号を供給する。例えば、図４のように走査線の選択を行う場合には、ゲートドライバ１４は、走査線Ｓ1、Ｓn-5、Ｓ1、Ｓn-4、Ｓ3、Ｓn・・・の順番で各走査線に対応する走査信号Ｖｇ１〜Ｖｇｎを供給する。
【００６６】
走査信号Ｖｇ１〜Ｖｇｎは、変調クロック信号ＭＣＬＫに基づいて、データドライバ近端側の走査線に対応する走査信号のパルス幅が短く、データドライバ遠端側の走査線に対応する走査信号のパルス幅が長くなるように生成される。すなわち、走査信号Ｖｇ１〜Ｖｇｎの各々のパルス幅は、Ｖｇ１＜Ｖｇ２＜Ｖｇ３・・・＜Ｖｇｎとなる。走査信号Ｖｇ１〜Ｖｇｎのパルス幅は、画素スイッチＭ11〜Ｍnmの選択期間となる。
【００６７】
ゲートドライバ１４は、最終的に表示パネル１１の中央部分に位置する（１／２）ｎ−７〜（１／２）ｎｃｈ、及び（１／２）ｎ−７〜（１／２）ｎｃｈの走査線まで選択及び駆動を行った後、１〜８ｃｈ及び（Ｎｎ−７）〜ｎｃｈの走査線に戻り、次のフレームの映像データの表示のための走査線の選択及び駆動を行う。
【００６８】
データドライバ１３は、ゲートドライバ１４による走査線の駆動に応じて、階調電圧信号号Ｇｖ１〜Ｇｖｍの供給を行う。これにより、１フレーム期間毎に１画面分の映像データ信号の書き換えが行われ、走査線Ｓ1〜Ｓnに対応する画素行毎に画素部Ｐ11〜Ｐnmが選択され、データ線Ｄ1〜Ｄmを介して階調電圧信号Ｇｖ１〜Ｇｖｍが画素部Ｐ11〜Ｐnmに供給される。
【００６９】
図５は、本実施例の表示装置１００において、走査線Ｓ1〜Ｓnの各々に供給される走査信号Ｖｇ１〜Ｖｇｎの例を示す図である。例えば、走査線Ｓ3にパルス幅の短い走査信号Ｖｇ３が供給され、走査線Ｓnにパルス幅の長い走査信号Ｖｇｎが供給され、走査線Ｓ5にパルス幅の短い走査信号Ｖｇ５が供給され、走査線Ｓn-4にパルス幅の長い走査信号Ｖｇ（Ｎｎ−４）が供給される。このように、データドライバ近端側のグループに含まれる走査線とデータドライバ遠端側のグループに含まれる走査線とを交互に駆動しつつ、各グループ内ではランダムに走査線の駆動が行われる。そして、フレームが変わると、各グループ内での走査線の駆動順序を変更して、走査線の駆動が行われる。
【００７０】
図６は、本実施例とは異なり、走査線Ｓ1、Ｓn、Ｓ2、Ｓn-1・・・の順番で交互に走査信号を供給する比較例の走査信号Ｖｇ１〜Ｖｇｎを示す図である。比較例の表示装置では、データドライバ１３からの距離に応じて走査信号のパルス幅を異ならせつつ、表示パネル１１の外縁部から中央部に向かって交互に走査信号の供給が行われる。
【００７１】
図７Ａは、比較例の表示装置において発生する可能性がある２重表示（所謂クロストーク）を模式的に示す図である。例えば、表示パネル１１が４Ｋパネルや８Ｋパネル等の高解像度で且つ大画面の表示パネルであった場合、走査線の１ラインあたりの操作時間が短いため、データの書き込み時間が不足し、１ライン前のデータが当該ラインの書き込みデータに影響を与える場合がある。比較例の表示装置のように、走査線を交互に駆動する動作を続けて行う場合、フレームが変わっても走査線の駆動順序は同じである。このため、各ラインの書き込みデータは、特定のライン（例えば、ｎｃｈのゲートラインに対する１ｃｈのゲートライン、（ｎ−１）ｃｈ目のゲートラインに対する２ｃｈのゲートライン等）の書き込みデータの影響を常に受け続けることになるため、図７Ａに示すように、画面の中央部を挟んで上側と下側の対向する位置に同じ画像が表示され、重なって表示される状態（クロストークによる２重表示）が生じる虞がある。
【００７２】
一方、図７Ｂは、本実施例の表示装置１００においてデータの書き込み時間の不足が発生した場合の表示画面を模式的に示す図である。本実施例の表示装置１００では、走査信号の供給対象として表示パネル１１からの距離が近い走査線のグループと表示パネル１１からの距離が遠い走査線のグループとを交互に選択しつつ、各グループ内では走査線の駆動順序をランダムにする。そして、各グループ内の走査線の駆動順序をフレーム毎に変更する。このように走査線の駆動を行うことで、画像表示に影響する走査線がフレーム毎に変わる（すなわち、シャッフルされる）ことになるため、クロストークの虚像の境界がぼやける効果が得られる。
【００７３】
すなわち、本実施例の表示装置１００では、各グループ内での走査線の駆動順序をフレーム毎に変更するため、各フレームについて共通の駆動順序で走査線の駆動を行う比較例の表示装置と比べて、クロストークによる２重表示の発生を軽減することができる。
【００７４】
また、本実施例の表示装置１００では、ゲートドライバ１４が、データドライバ１３からの距離が近い走査線に対してはパルス幅の比較的短い走査信号を供給し、データドライバ１３からの距離が遠い走査線に対してはパルス幅の比較的長い走査信号を供給する。これにより、データドライバ１３から遠い側の画素部では、選択期間及びデータ期間が広がるため、データ線インピーダンスの影響により階調電圧信号Ｇｖ１〜Ｇｖｍの信号レベルの上昇が鈍った場合でも、画素電極への書き込み電圧が所望のレベルに到達する。このため、画素部の充電率の差によって生じるパネル内の輝度むらを改善することができる。
【００７５】
また、本実施例の表示装置１００では、ゲートドライバ１４は、表示パネル１１の外縁部に位置する走査線のグループ（例えば、走査線Ｓ１〜Ｓ８及びＳｎ−７〜Ｓｎ）から表示パネル１１の中央部に位置する走査線のグループ（例えば、走査線Ｓ（１／２）ｎ−７〜Ｓ（１／２）ｎ及び走査線Ｓ（１／２）ｎ＋１〜Ｓ（１／２）ｎ＋８）に向かうように、交互に走査信号Ｖｇ１〜Ｖｇｎを供給する。そして、表示コントローラ１２は、走査信号Ｖｇ１〜Ｖｇｎの供給の順番に対応した順序で、各走査線の画素部に印加する表示データＰＤが配列された映像データ信号ＶＤをデータドライバ１３に供給する。かかる構成によれば、データドライバ近端側のグループに含まれる走査線及びデータドライバ遠端側のグループに含まれる走査線の各々に対応する表示データからなる表示データ対を供給すればよいため、一定のパルス幅を有する走査信号を供給する表示装置と同等の伝送時間で表示コントローラ１２からデータドライバ１３への表示データＰＤの伝送を行うことができる。従って、表示データＰＤの高速伝送を行う必要がないため、電力消費を抑えることができる。
【００７６】
以上のように、本実施例の表示装置１００によれば、画像表示における輝度むらの発生及び電力消費を抑えつつ、クロストークによる２重表示を軽減し、表示品質を向上させることが可能となる。
【００７７】
なお、各グループ内での走査線の駆動順序をフレーム毎に変更するにする構成は、走査線の供給対象となる走査線のグループを、表示パネル１１との距離が近い走査線のグループから表示パネル１１との距離が遠い走査線のグループに向かって順次選択する場合（すなわち、順次駆動の場合）にも適用が可能である。
【００７８】
図８は、このような変形例の表示装置のゲートドライバに含まれる、シフトレジスタ及びデコーダからなるドライバ回路の構成の一部を示す回路図である。
【００７９】
比較例のドライバ回路は、８本の走査線（すなわち、８ｃｈのゲートライン）毎に設けられたシフトレジスタと、その間に設けられた各走査線（すなわち、各ｃｈのゲートライン）に対応するデコーダと、から構成されている。前段から後段に向かって（すなわち、図面左側から右側に向かって）各信号がシフトされ、走査信号の供給対象となる走査線の選択が行われる。
【００８０】
１ｃｈのデコーダには、シフトレジスタ（１〜８ｃｈＳＲ）の出力信号、交互切替信号Ｈａｌｆ、選択信号Ｄ１、Ｄ２及びＤ３が供給される。２ｃｈのデコーダには、シフトレジスタ（１〜８ｃｈＳＲ）の出力信号、交互切替信号Ｈａｌｆ、選択信号Ｄ１及びＤ２が供給される。また、２ｃｈのデコーダには、選択信号Ｄ３を反転した信号が供給される。３ｃｈのデコーダには、シフトレジスタ（１〜８ｃｈＳＲ）の出力信号、交互切替信号Ｈａｌｆ、選択信号Ｄ１及びＤ３が供給される。また、３ｃｈのデコーダには、選択信号Ｄ２を反転した信号が供給される。４ｃｈのデコーダには、シフトレジスタ（１〜８ｃｈＳＲ）の出力信号、交互切替信号Ｈａｌｆ、及び選択信号Ｄ１が供給される。また、４ｃｈのデコーダには、選択信号Ｄ２及びＤ３をそれぞれ反転した信号が供給される。
【００８１】
５ｃｈのデコーダには、シフトレジスタ（１〜８ｃｈＳＲ）の出力信号、交互切替信号Ｈａｌｆ、選択信号Ｄ２及びＤ３が供給される。また、５ｃｈのデコーダには、選択信号Ｄ１を反転した信号が供給される。５ｃｈのデコーダには、シフトレジスタ（１〜８ｃｈＳＲ）の出力信号、交互切替信号Ｈａｌｆ、選択信号Ｄ２及びＤ３が供給される。また、５ｃｈのデコーダには、選択信号Ｄ１を反転した信号が供給される。６ｃｈのデコーダには、シフトレジスタ（１〜８ｃｈＳＲ）の出力信号、交互切替信号Ｈａｌｆ、及び選択信号Ｄ２が供給される。また、６ｃｈのデコーダには、選択信号Ｄ１及びＤ３をそれぞれ反転した信号が供給される。７ｃｈのデコーダには、シフトレジスタ（１〜８ｃｈＳＲ）の出力信号、交互切替信号Ｈａｌｆ、及び選択信号Ｄ３が供給される。また、７ｃｈのデコーダには、選択信号Ｄ１及びＤ２をそれぞれ反転した信号が供給される。８ｃｈのデコーダには、シフトレジスタ（１〜８ｃｈＳＲ）の出力信号及び交互切替信号Ｈａｌｆが供給される。また、８ｃｈのデコーダには、選択信号Ｄ１、Ｄ２及びＤ３をそれぞれ反転した信号が供給される。
【００８２】
以下同様に、各グループのデコーダ群（９〜１６ｃｈ、１７〜２４ｃｈ・・・）は、１〜８ｃｈのデコーダと同様に、それぞれ異なる態様で信号の供給を受ける８つのデコーダから構成される。
【００８３】
図９は、変形例のゲートドライバにおける、走査信号の供給対象となる走査線の選択を模式的に示すタイムチャートである。ここでは、１〜ｎｃｈのゲートライン（すなわち、走査線Ｓ1〜Ｓn）のうち、１〜８ｃｈ及び９〜１６ｃｈのゲートライン（すなわち、走査線Ｓ1〜Ｓ8及びＳ9〜Ｓ16）の選択のみを抜き出して示している。
【００８４】
［１〜８ｃｈのゲートラインの選択］
まず、１ｃｈ〜８ｃｈのゲートラインに対応するシフトレジスタ（１〜８ｃｈＳＲ）は、出力信号の信号レベルをＨレベルとする。一方、９ｃｈ〜１６ｃｈのゲートラインに対応するシフトレジスタ（９〜１６ｃｈＳＲ）は、出力信号の信号レベルをＬレベルとする。
【００８５】
選択信号Ｄ２が“Ｈ”レベル、選択信号Ｄ１及びＤ３が“Ｌ”レベルになると、６ｃｈのゲートラインが選択される。選択信号Ｄ２及びＤ３が“Ｈ”レベル、選択信号Ｄ１が“Ｌ”レベルになると、５ｃｈのゲートラインが選択される。選択信号Ｄ１及びＤ３が“Ｈ”レベル、選択信号Ｄ２が“Ｌ”レベルになると、３ｃｈのゲートラインが選択される。選択信号Ｄ１が“Ｈ”レベル、選択信号Ｄ２及びＤ３が“Ｌ”レベルになると、４ｃｈのゲートラインが選択される。
【００８６】
次に、選択信号Ｄ１及びＤ３が“Ｈ”レベル、選択信号Ｄ２が“Ｌ”レベルになると、１ｃｈのゲートラインが選択される。選択信号Ｓ１、Ｄ２及びＤ３が“Ｌ”レベルになると、８ｃｈのゲートラインが選択される。選択信号Ｄ３が“Ｈ”レベル、選択信号Ｄ１及びＤ２が“Ｌ”レベルになると、７ｃｈのゲートラインが選択される。選択信号Ｄ１及びＤ２が“Ｈ”レベル、選択信号Ｄ３が“Ｌ”レベルになると、２ｃｈのゲートラインが選択される。
【００８７】
［９〜１６ｃｈのゲートラインの選択］
次に、９ｃｈ〜１６ｃｈのゲートラインに対応するシフトレジスタ（９〜１６ｃｈＳＲ）は、出力信号の信号レベルをＨレベルとする。一方、１ｃｈ〜８ｃｈのゲートラインに対応するシフトレジスタ（１〜８ｃｈＳＲ）は、出力信号の信号レベルをＬレベルとする。
【００８８】
以下１〜８ｃｈの場合と同様に、選択信号Ｄ１、Ｄ２及びＤ３の信号レベルの変化に応じて、８ラインずつの選択を重複が無いように行う。なお、図９では選択信号Ｄ１、Ｄ２及びＤ３の信号レベルが１〜８ｃｈの場合と同じように変化し、１４ｃｈ、１３ｃｈ、１１ｃｈ、１２ｃｈ、９ｃｈ、８ｃｈ、１５ｃｈ、１０ｃｈの順番で各ゲートラインが選択される例について示しているが、選択信号の信号レベルの変化のパターンを変えて、各ゲートラインがランダムに選択されるようにしてもよい。
【００８９】
このように、走査線をグループ単位で順次駆動する場合にも、各グループ内での走査線の駆動順序をフレーム毎にその順番を異ならせることにより、画像表示に影響する走査線がフレーム毎に変わることになるため、クロストークの虚像の境界がぼやける効果が得られる。従って、変形例の表示装置によっても、表示品質を向上することが可能となる。
【００９０】
なお、本発明は上記実施形態に限定されない。例えば、上記実施例では、単一のゲートドライバ１４がすべてのゲートラインを駆動する場合について説明した。しかし、複数のゲートドライバＩＣが１ｃｈ〜ｎｃｈのゲートライン（すなわち、走査線Ｓ１〜Ｓｎ）の駆動を分割して担う構成とすることも可能である。
【００９１】
図１０は、かかる構成の表示装置２００を示すブロック図である。なお、ここでは表示コントローラ１２の図示を省略している。
【００９２】
表示装置２００は、ゲートドライバＩＣ１４−１、１４−２、１４−３及び１４−４を有する。ゲートドライバＩＣ１４−１〜１４−４は、それぞれ１／４ｃｈ分のゲートラインを駆動する。例えば、ゲートドライバＩＣ１４−１は、１〜（１／４）ｎｃｈのゲートラインに走査信号Ｖｇ１〜Ｖｇ（１／４）を供給する。ゲートドライバＩＣ１４−２は、（１／４）ｎ＋１〜（１／２）ｎｃｈのゲートラインに走査信号Ｖｇ（１／４）ｎ＋１〜Ｖｇ（１／２）を供給する。ゲートドライバＩＣ１４−３は、（１／２）ｎ＋１〜（３／４）ｎｃｈのゲートラインに走査信号Ｖｇ（１／２）ｎ＋１〜（３／４）ｎを供給する。ゲートドライバＩＣ１４−４は、（３／４）ｎ＋１〜ｎｃｈのゲートラインに走査信号Ｖｇ（３／４）ｎ＋１〜ｎを供給する。
【００９３】
また、表示装置２００は、データドライバＩＣ１３−１、１３−２、・・・１３−ｘ（ｘはｍよりも小さい自然数）を有する。データドライバＩＣ１３−１〜１３−ｘは、データ線Ｄ1〜Ｄmへの階調電圧信号Ｇｖ１〜Ｇｖｍの供給を分割して担うデータドライバ回路である。
【００９４】
かかる構成の表示装置２００では、例えばゲートドライバＩＣ１４−１及びゲートドライバＩＣ１４−４が交互にゲートラインを駆動し、その後、ゲートドライバＩＣ１４−２及びゲートドライバＩＣ１４−３が交互にゲートラインを駆動する。これにより、データドライバ近端側のグループに含まれる走査線とデータドライバ遠端側のグループに含まれる走査線とを交互に駆動しつつ、グループ対毎に表示パネル１１の外縁部から中央部に向かってシフトする。そして、ゲートドライバＩＣ１４−１〜１４−４の各々が、各グループ内での走査線の駆動順序をフレーム毎に異なる順序とすることにより、上記の表示装置１００と同様のゲートラインの駆動を行うことができる。
【００９５】
また、上記実施例では、駆動順序設定回路１６が疑似ランダムパターン生成回路を含み、各グループ内の走査線の駆動順序をランダムに設定する例について説明した。しかし、各グループ内の走査線の駆動順序の設定方法はこれに限られず、一定の法則性をもって駆動順序を設定するものであってもよい。少なくとも、フレーム毎に異なる駆動順序となるように走査線の駆動順序を設定するものであればよい。
【００９６】
また、上記実施例では、走査線Ｓ1〜Ｓnを８本ずつに分けた各グループについてフレーム毎に異なる駆動順序となるようにグループ内での走査線の駆動順序を設定する例について説明した。しかし、必ずしも全てのグループについてグループ内での走査線の駆動順序をフレーム毎に異ならせなくてもよい。すなわち、連続して駆動対象とするグループからなるグループ対（例えば、１〜８ｃｈのグループと（ｎ−７）〜ｎｃｈグループからなるグループ対、９〜１６ｃｈのグループと（ｎ−１５）〜（ｎ−８）ｃｈのグループからなるグループ対等）について、グループ対を構成する一方のグループ及び他方のグループのうちの少なくとも一方について、グループ内の走査線の駆動順序がフレーム毎に異なるように設定すればよい。このように設定することにより、１ライン前に駆動される走査線がフレーム毎に異なることになるため、クロストークによる２重表示を軽減することが可能となる。
【００９７】
また、交互駆動の対象となる各グループを構成する走査線の本数及びグループの数は、上記実施例で示したものに限られない。例えば、ｎ本の走査線Ｓ1〜Ｓnをｐ本ずつの走査線からなる第１〜第ｑのグループ（ｐ、ｑは、ｎよりも小さく且つｐ×ｑ＝ｎを満たす自然数）に分け、グループ内での各走査線の駆動順序をフレーム毎に変えるように構成することが可能である。その際、上記実施例では、３ビットのデコーダによりドライバ回路を構成し、２値の信号である選択信号Ｄ１、Ｄ２及びＤ３を用いて、２3＝８本の走査線を選択したが、ｋビットのデコーダによりドライバ回路を構成し、ｋ個の選択信号を用いて走査線を選択することにより、ｐ（＝２k）本ずつの走査線（ｋはｎよりも小さい自然数）からなるグループについて、各々の走査線を順次選択することが可能である。
【符号の説明】
【００９８】
１００  表示装置
１１  表示パネル
１２  表示コントローラ
１３  データドライバ
１４  ゲートドライバ
１５  １フレームメモリ
１６  駆動順序設定回路
１７  変調クロック生成回路
【図１】
2020160324.tif 000003
【図２Ａ】
2020160324.tif 000004
【図２Ｂ】
2020160324.tif 000005
【図３】
2020160324.tif 000006
【図４】
2020160324.tif 000007
【図５】
2020160324.tif 000008
【図６】
2020160324.tif 000009
【図７Ａ】
2020160324.tif 000010
【図７Ｂ】
2020160324.tif 000011
【図８】
2020160324.tif 000012
【図９】
2020160324.tif 000013
【図１０】
2020160324.tif 000014